(57)【要約】【課題】  軽量・薄型化と長寿命化との両立が図られた表示装置、および、この表示装置を備えた電子機器を提供する。【解決手段】  薄型部材を有し幅を有する表示パネルおよび該表示パネルに光を照射する光源を保持するフレームと、該フレームを覆うカバーとを備えた表示装置において、前記フレームにおける前記表示パネルの幅方向の中央部分に位置し、該フレームおよび該フレーム外に延在する放熱板と、前記カバーに設けられ前記フレーム外の位置で前記放熱板と接触する放熱部品とを有することを特徴とする表示装置。【選択図】        図４
2008268655.tif 000002
【特許請求の範囲】
【請求項１】
薄型部材を有し幅を有する表示パネルおよび該表示パネルに光を照射する光源を保持するフレームと、該フレームを覆うカバーとを備えた表示装置において、
前記フレームにおける前記表示パネルの幅方向の中央部分に位置し、該フレームおよび該フレーム外に延在する放熱板と、
前記カバーに設けられ前記フレーム外の位置で前記放熱板と接触する放熱部品とを有することを特徴とする表示装置。
【請求項２】
前記カバーに設けられ前記フレームにおける前記表示パネルの幅方向の端部部分と接触する第２の放熱部品を有することを特徴とする請求項１記載の表示装置。
【請求項３】
前記カバーは、前記フレームを収容する前面カバーと背面カバーとから構成され、前記放熱部品は、前記背面カバーに設けられることを特徴とする請求項１又は２記載の表示装置。
【請求項４】
前記カバーと前記放熱部品との間に設けられた補強部品を有することを特徴とする請求項１から３のうちのいずれか１項記載の表示装置。
【請求項５】
前記補強部品は、前記カバーの面と平行に延在する第１部位と、前記第１部位と垂直をなして延在する第２部位とで構成される請求項４記載の表示装置。
【請求項６】
前記放熱部品は、放熱ゴムであることを特徴とする請求項１から５のうちのいずれか１項記載の表示装置。
【請求項７】
請求項１から６のうちのいずれか１項記載の表示装置と、該表示装置とヒンジで開閉自在に結合した本体装置とを有することを特徴とする電子機器。
【発明の詳細な説明】
【技術分野】
【０００１】
本発明は、画像を表示する表示装置、および、この表示装置を備えた電子機器に関する。
【背景技術】
【０００２】
従来より、携帯型の、画像を表示する画像表示装置には、液晶パネルを有する液晶モジュールが利用されている。
【０００３】
また、この液晶モジュールのなかには、液晶パネルの背面側に、側面に受けた光源からの光を前面から液晶パネルに向けて照射する導光板と呼ばれる部材を備えた、所謂エッジライト（導光板）と呼ばれる方式を採用するものがある。
【０００４】
このエッジライト方式の液晶モジュールは、液晶パネル、液晶パネルに光を照射する、光源として冷陰極管や上述の導光板を含む光照射部、液晶パネルおよび光照射部を一体的に保持するフレームと、光源に電力供給するインバータを実装した制御基板とで構成されている。
【０００５】
このエッジライト方式の液晶モジュールについても、近年益々、軽量化、薄型化と共に長寿命化が要求されてきており、これに対応するための提案もなされている(例えば、特許文献１参照)。
【０００６】
近年では、冷陰極管よりも軽量かつ薄型化が可能であるとして、ＬＥＤ(Ｌｉｇｈｔ  Ｅｍｉｔｔｉｎｇ  Ｄｉｏｄｅ)が光源として採用されている。
【特許文献１】特開２００１−２４９６２１号公報
【発明の開示】
【発明が解決しようとする課題】
【０００７】
しかしながら、ＬＥＤは、熱に弱く、熱に晒されると寿命が低下してしまうという問題を有している。
【０００８】
尚、上記問題は、画像表示のためには光源からの光の照射が必要な表示パネルであれば液晶パネルに限らず、また、軽量・薄型化に対応可能ではあるものの熱に弱い光源についてはＬＥＤに限らず起こりうる問題である。
【０００９】
本発明は、上記事情に鑑み、軽量・薄型化と長寿命化との両立が図られた表示装置、および、この表示装置を備えた電子機器を提供することを課題とする。
【課題を解決するための手段】
【００１０】
上記目的を達成するための本発明の表示装置は、
薄型部材を有し幅を有する表示パネルおよびこの表示パネルに光を照射する光源を保持するフレームと、このフレームを覆うカバーとを備えた表示装置において、
上記フレームにおける上記表示パネルの幅方向の中央部分に位置し、このフレームおよびこのフレーム外に延在する放熱板と、
上記カバーに設けられ上記フレーム外の位置で上記放熱板と接触する放熱部品とを有することを特徴とする。
【００１１】
本発明の表示装置では、光源から発生する熱が、光源を保持するフレームから放熱板、さらに放熱板から放熱部品を経てカバーに伝搬する。したがって、本発明の表示装置によれば、光源が熱に晒されないようにすることができ、光源の長寿命化に寄与できる。
【００１２】
ここで、本発明の表示装置が、上記カバーに設けられ上記フレームにおける上記表示パネルの幅方向の端部部分と接触する第２の放熱部品を有することが好ましい。
【００１３】
この様に、フレームの端部部分に第２の放熱部品を接触させると、フレームからカバーへの熱の伝搬を、より一層促進させることができる。
【００１４】
また、本発明の表示装置の上記カバーは、上記フレームを収容する前面カバーと背面カバーとから構成され、上記放熱部品は、上記背面カバーに設けられるものであってもよい。
【００１５】
ここで、本発明の表示装置が、上記カバーと上記放熱部品との間に設けられた補強部品を有することが好ましい。
【００１６】
この様に、カバーに補強部品が設けられていると、例えカバーが部分的に圧力を受けても、カバーの、圧力を受けた部分の極端な撓みの発生を抑えることができ、カバー内のフレームおよび表示パネルの破損を防止することができる。また、例えば、この補強部品が金属製のものであると、フレームからカバーへの熱の伝搬を、より一層促進させることができる。
【００１７】
また、本発明の表示装置の上記補強部品は、上記カバーの面と平行に延在する第１部位と、上記第１部位と垂直をなして延在する第２部位とで構成されたものであることも好ましい態様である。
【００１８】
この様に、補強部品が、第１部位と、この第１部位に対し垂直に延在する第２部位とからなるものであると、この補強部品の強度が増すことから、カバーが受けた部分的な圧力からフレームおよび表示パネルをより確実に保護することができる。
【００１９】
ここで、本発明の表示装置の上記放熱部品は、放熱ゴムであることが好ましい。
【００２０】
放熱部品が放熱ゴムであると、カバーが受けた衝撃から表示パネルを保護することができる。
【００２１】
上記目的を達成するための本発明の電子機器は、
上記に記載の表示装置と、この表示装置とヒンジで開閉自在に結合した本体装置とを有することを特徴とする。
【発明の効果】
【００２２】
本発明によれば、軽量・薄型化と長寿命化との両立が図られた表示装置、および、この表示装置を備えた電子機器を提供することができる。
【発明を実施するための最良の形態】
【００２３】
以下、本発明の実施形態を説明する。
【００２４】
図１および図２は、本発明の表示装置の一実施形態を含む、本発明の電子機器の一実施形態の外観図である。
【００２５】
本発明の電子機器の一実施形態であるコンピュータ１は、画像を表示する液晶パネル２１を有する画像表示装置（本発明の表示装置の一実施形態）２と、回路基板を内蔵するとともに上面にキーボードが配備された本体装置３とが、ヒンジ部材１０を介して開閉自在に連結された、所謂ノート型パーソナルコンピュータである。
【００２６】
図１には、画像表示装置２が本体装置３に対して閉じて重ねられた状態が示されており、図２には、画像表示装置２が本体装置３に対して開かれた状態が示されている。
【００２７】
図２に示す本体装置３は、複数のキーが配列されたキーボード３６と、トラックパッドおよびクリックボタンからなる操作部３７と、これらキーボード３６および操作部３７が嵌め込まれる部分を避けて成型された上面カバー３１と、上面カバー３１とともに本体装置３の筐体を形成する下面カバー３２と、筐体内に収容された、プログラムを実行するＣＰＵが搭載された回路基板とで構成されている。
【００２８】
また、図２に示す画像表示装置２は、画像を表示する液晶パネル２１を含む液晶モジュールと、液晶パネル２１の周囲を覆う前面カバー２０１と、液晶モジュールを収容し、この前面カバー２０１とともに画像表示装置２の筐体を形成する背面カバー２０２（図１参照）とで構成されている。尚、このコンピュータ１では、筐体を形成するカバーは、樹脂製のものである。
【００２９】
液晶モジュールは、液晶パネル２１と、液晶パネル２１に光を照射する、光源としてＬＥＤを含む光照射部と、液晶パネル２１および光照射部を一体的に保持する金属フレームと、ＬＥＤの発光を制御する回路基板を実装した制御基板とで構成されている。
【００３０】
液晶パネル２１は、一般的に、表面側から順に、偏光フィルタ（垂直）２１１、ガラス板、透明電極に挟まれた液晶、ガラス板、および偏光フィルタ（水平）を積層したものである。
【００３１】
光照射部は、ＬＥＤと、液晶パネル２１の背面側に位置する、導光板と、導光板の裏面側に位置し、ＬＥＤからの照射光を側面で受けて表面側に反射する反射板とで構成されている。尚、この液晶モジュール２０は、所謂エッジライト方式と呼ばれるタイプのものである。
【００３２】
ここで、画像表示装置２の構造について詳細に説明する。
【００３３】
図３は、前面カバーが外された状態の画像表示装置を示す図である。
【００３４】
図３には、液晶パネル２１の最前面の偏光フィルタ２１１の周縁と、液晶パネル２１および光照射部を一体的に保持する金属フレーム２３との双方を覆う前面カバー２０１が取り外された状態の画像表示装置２が示されている。
【００３５】
また、図３には、液晶パネル２１や金属フレーム２３と共に液晶モジュールを構成する、回路基板２４１を実装した制御基板２４にケーブル１００が接続されている様子が示されている。尚、図３における図示は省略したが、実際には、液晶モジュールの周囲には、小型カメラユニット、マイクフォンユニット、さらには、これらに付属する配線などが配備されている。
【００３６】
図４は、液晶モジュールの背面図である。
【００３７】
図４には、液晶モジュール２０の前面側が示される図３に対して、この液晶モジュール２０の背面側が見た様子が示されている。尚、図４には、液晶パネル２１の背面側に位置する光照射部の構成要素のうちの最背面側である反射板２２３が示されている。
【００３８】
また、図４には、金属フレーム２３の、図４における下方の両端からフレキシブルケーブル２２０が延びている様子が示されている。尚、このフレキシブルケーブル２２０には、ＬＥＤ２２１（図６参照）が搭載されており、実際には、このフレキシブルケーブル２２０は、金属フレーム２３の内側を這わされて、制御基板２４に接続されている。
【００３９】
さらに、図４には、金属フレーム２３の、図４における下方中央に、斜線で示す放熱プレート２５が貼り付けられている様子が示されている。尚、この放熱プレート２５が、本発明にいう放熱板の一例に相当する。
【００４０】
図５は、金属フレームを示す図である。
【００４１】
図５には、図４に背面側を示す液晶モジュール２０のうちの金属フレーム２３が示されており、ここには、この金属フレーム２３の左右の下端から延びたフレキシブルケーブル２２０も示されている。
【００４２】
図６は、金属フレームの正面図である。
【００４３】
図６には、金属フレーム２３を背面側から見た様子を示す図５に対し、金属フレーム２３を前面側から見た様子が示されており、ここには、金属フレーム２３の内側に這わされたフレキシブルケーブル２２０に搭載されている複数のＬＥＤ２２１のうちの一部が示されている。
【００４４】
図７は、放熱プレートの拡大図である。
【００４５】
図７には、図４に背面を示す液晶モジュール２０のうちの放熱プレート２５が、拡大されて示されており、この放熱プレート２５は、図７における上半分のみが金属フレーム２３に貼り付けられている。
【００４６】
図８は、背面カバーの内側を示す図である。
【００４７】
図８には、図３に示す状態から液晶モジュール２０が取り外された状態が示されており、ここには、背面カバー２０２の内側が露出している様子が示されている。
【００４８】
また、図８には、図４に示す、液晶モジュール２０の金属フレーム２３に貼り付けられた放熱プレート２５と接触する位置に第１放熱ゴム２６が配備されている様子が示されている。この第１放熱ゴム２６は、放熱プレート２５の、金属フレーム２３からはみ出した部分と接触する幅で、放熱プレート２５の長手方向の長さと同じ長さのものである。尚、この第１放熱ゴム２６が、本発明にいう放熱部品の一例に相当する。
【００４９】
通常、液晶パネルの背面から光照射を行うために、液晶パネルと共に金属フレームの内側に保持されているＬＥＤから発生する熱は、金属フレーム内に籠もりがちであり、籠もった熱によってＬＥＤの製品寿命が縮まるおそれがある。そこで、本実施形態のコンピュータ１では、金属フレーム２３に放熱プレート２５が貼り付けられている。これにより、金属フレーム２５の熱は、少なくとも放熱プレート２５に伝導されることから、熱を金属フレーム２３から逃がすことができる。
【００５０】
また、本実施形態のコンピュータ１には、この放熱プレート２５の、金属フレーム２３に貼り付けられている部分以外の部分と接触する第１放熱ゴム２６が背面カバー２０２側に備えられている。このため、ＬＥＤ２２１から発生した熱をより一層金属フレーム２３から逃がすことができる。この様に、第１放熱ゴム２６が、放熱プレート２５の、金属フレーム２３の貼り付けられている部分を避けて設けられているのは、金属フレーム２３の貼り付けられている部分も含めて第１放熱ゴム２６を設けると、画像表示装置２の背面カバー２０２に圧力が加わった場合に、金属フレーム２３の中央部分に保持されている液晶パネル２１が破損しやすいという、本願発明者による実験結果に基づく措置である。
【００５１】
さらに、図８には、この第１放熱ゴム２６の両脇で金属フレーム２３と接触するように、この第１放熱ゴム２６とは段違いに配備された第２放熱ゴム２７が示されている。尚、この第２放熱ゴム２７が、本発明にいう第２の放熱部品の一例に相当する。
【００５２】
本実施形態のコンピュータ１では、液晶モジュール２０が背面カバー２０２に収容されている際には、金属フレーム２３が第２放熱ゴム２７に接触していることから、放熱プレート２５経由で金属フレーム２３の熱が第１放熱ゴム２６へ伝導されると共に、この金属フレーム２３における熱の籠もりは、この第２放熱ゴム２７によっても抑制される。
【００５３】
さらに、図８には、これら第１放熱ゴム２６および第２放熱ゴム２７が上面に貼り付けられていると共に下面が背面カバー２０２に固定された補強プレート２８が示されている。
【００５４】
この補強プレート２８は、背面カバー２０２に固定された固定部２８０と、この固定部２８０から立ち上がった立上部２８１とからなる金属製のＬ字状プレートであり、この補強プレート２８は、背面カバー２０２への局所的な圧力により背面カバー２０２が撓むことで、液晶パネル２１が破損しないようにするためのものである。
【００５５】
本実施形態のコンピュータ１では、これら第１放熱ゴム２６および第２放熱ゴム２７が、金属製である補強プレート２８上に貼り付けられていることで、金属フレーム２３の熱をこの補強プレート２８にまで伝搬される。これによっても、この金属フレーム２３における熱の籠もりが抑制されている。
【００５６】
尚、以上に説明した実施形態では、背面カバーに放熱用のゴムを設けた例を挙げて説明したが、放熱性能を有していれば、これがゴム以外の材料からなるものであってよく、また、補強プレートがＬ字状プレートである例を挙げて説明したが、背面カバーの面と平行に延在する第１部位と、この１部位と垂直をなして延在する第２部位とで構成されていれば、この形状が逆Ｔ字状であってもよい。さらに、金属フレーム２３と放熱プレートを２５とを別部材とした例を挙げて説明したが、これらが一体成型されるものであってもよい。
【００５７】
以上が本実施形態についての説明であるが、以下に別態様について説明する。
【００５８】
図９は、補強プレート上に高伝熱シートを貼り付けた態様を示す図である。
【００５９】
図９には、本実施形態のコンピュータ１の態様を示す図８に対し、さらに、金属フレーム２３の熱の籠もりを抑制する為に、補強プレート２８上に高伝熱シート２９を貼り付けた場合の態様が示されている。この様にすると、本実施形態と比べ、さらに、この金属フレーム２３における熱の籠もりを抑制することができる。
【００６０】
図１０は、本実施形態にいう放熱プレートの長さを延長した場合の態様を示す図である。
【００６１】
図１０には、図７に示す放熱プレート２５の長さを延長し、これに対応して、本実施形態にいう第１放熱ゴム２６および補強プレート２８の長さも延長した様子が示されている。この様にしても、本実施形態と比べ、さらに、この金属フレーム２３における熱の籠もりを抑制することができる。
【図面の簡単な説明】
【００６２】
【図１】本発明の表示装置の一実施形態を含む、本発明の電子機器の一実施形態の外観図である。
【図２】本発明の表示装置の一実施形態を含む、本発明の電子機器の一実施形態の外観図である。
【図３】前面カバーが外された状態の画像表示装置を示す図である。
【図４】液晶モジュールの背面図である。
【図５】金属フレームを示す図である。
【図６】金属フレームの正面図である。
【図７】放熱プレートの拡大図である。
【図８】背面カバーの内側を示す図である。
【図９】補強プレート上に高伝熱シートを貼り付けた態様を示す図である。
【図１０】本実施形態にいう放熱プレートの長さを延長した場合の態様を示す図である。
【符号の説明】
【００６３】
１  コンピュータ
２  画像形成装置
２０  液晶モジュール
２０１  前面カバー
２０２  背面カバー
２１  液晶パネル
２１１  偏光フィルタ
２２１  ＬＥＤ
２２３  反射板
２３  金属フレーム
２４  制御基板
２５  放熱プレート
２６  第１放熱ゴム
２７  第２放熱ゴム
２８  補強プレート
２８０  固定部
２８１  立上部
２９  高伝熱シート
３  本体装置
３１  上面カバー
３２  下面カバー
【図１】
2008268655.tif 000003
【図２】
2008268655.tif 000004
【図３】
2008268655.tif 000005
【図４】
2008268655.tif 000006
【図５】
2008268655.tif 000007
【図６】
2008268655.tif 000008
【図７】
2008268655.tif 000009
【図８】
2008268655.tif 000010
【図９】
2008268655.tif 000011
【図１０】
2008268655.tif 000012